(57)【要約】【課題】計測時間を速やかに分かりやすく表示できる往復移動する指針を備えた時間計測装置を提供すること。【解決手段】クロノグラフ時計は、クロノグラフ秒針と、往復移動し、往路および復路において、計測時間の１／１０秒の桁を表示する１／１０秒クロノグラフ針と、時間計測を行うクロノグラフカウンター３６と、クロノ秒針用ステップモーター２３を制御して、計測時間に基づき、クロノグラフ秒針を駆動させるクロノ秒針駆動制御部３９と、１／１０秒クロノ針用ステップモーター２２を制御して、計測時間に基づき、１／１０秒クロノグラフ針を駆動させる１／１０秒クロノ針駆動制御部３８と、を備え、１／１０秒クロノ針駆動制御部３８は、１／１０秒クロノグラフ針を、所定の周期で往復移動させ、クロノ秒針駆動制御部３９は、クロノグラフ秒針を、前記所定の周期の半分以下の時間間隔で運針させる。【選択図】図２
2015206771.tif 000002
【特許請求の範囲】
【請求項１】
計測時間の上位の桁を表示する上位桁表示指針と、
往復移動し、往路および復路において、計測時間の下位の桁を表示する下位桁表示指針と、
前記上位桁表示指針を駆動する第１駆動手段と、
前記下位桁表示指針を駆動する第２駆動手段と、
時間計測を行う、時間計測部と、
前記第１駆動手段を制御して、前記時間計測部が計測した計測時間に基づき、前記上位桁表示指針を駆動させる第１駆動制御部と、
前記第２駆動手段を制御して、前記時間計測部が計測した計測時間に基づき、前記下位桁表示指針を駆動させる第２駆動制御部と、を備え、
前記第２駆動制御部は、前記下位桁表示指針を、所定の周期で往復移動させ、
前記第１駆動制御部は、前記上位桁表示指針を、前記所定の周期の半分以下の時間間隔で運針させる
ことを特徴とする時間計測装置。
【請求項２】
請求項１に記載の時間計測装置において、
前記第１駆動制御部は、前記上位桁表示指針を、前記所定の周期の半分の時間間隔で運針させる
ことを特徴とする時間計測装置。
【請求項３】
請求項１または請求項２に記載の時間計測装置において、
前記第２駆動制御部は、前記下位桁表示指針の移動方向を、０．５秒毎または１秒毎に逆転させる
ことを特徴とする時間計測装置。
【請求項４】
請求項１から請求項３のいずれかに記載の時間計測装置において、
前記上位桁表示指針は、秒針である
ことを特徴とする時間計測装置。
【請求項５】
請求項１から請求項４のいずれかに記載の時間計測装置において、
数字の画像を表示して、前記上位桁表示指針が表示する前記上位の桁のさらに上位の桁の計測時間を表示するデジタル表示手段を備える
ことを特徴とする時間計測装置。
【発明の詳細な説明】
【技術分野】
【０００１】
本発明は、往復移動する指針を備えた時間計測装置に関する。
【背景技術】
【０００２】
従来、時刻表示に加えて、時間計測を行い、計測時間を表示するクロノグラフ時計が知られている。クロノグラフ時計の中には、計測時間における秒よりも下位の桁の値を、往復移動する指針を用いて表示するものがある（例えば、特許文献１，２参照）。
【０００３】
特許文献１の電子時計は、往復移動する１／１０秒指針を用いて、１／１０秒表示を行っている。この指針の移動方向は、０．５秒毎に逆転し、指針が往路にあるときは０〜０．５秒を表示し、指針が復路にあるときは０．５〜１．０秒を表示する。この電子時計では、計測が終了して１／１０秒指針が停止した状態でも、１／１０秒指針が往路にあるのか復路にあるのかを判断できるように、１／１０秒指針を、往路と復路とで指示位置をずらして運針させている。そのため、１／１０秒指針の移動領域の周囲に表示された１／１０秒目盛には、往路用の指標（０〜０．５秒表示用の指標）と、復路用の指標（０．５〜１．０秒表示用の指標）とが、指針の指示方向において重ならないように、互いにずれて配置されている。
【０００４】
特許文献２のクロノグラフ付電子時計は、往復移動する指針を用いて、１／２０秒表示を行っている。この指針は、往路だけで計測時間（０／２０〜１９／２０秒）を表示している。そして、復路において、指針を開始位置（０／２０秒位置）に戻している。
【先行技術文献】
【特許文献】
【０００５】
【特許文献１】特開２０１３−２９４００号公報
【特許文献２】特開２００７−２５６０６６号公報
【発明の概要】
【発明が解決しようとする課題】
【０００６】
特許文献１の電子時計では、１／１０秒目盛の表示領域が小さい場合には、往路用の指標と、復路用の指標との間隔を十分に確保することができず、１／１０秒指針がどちらの指標を指示しているのか判断しにくいという問題があった。
また、特許文献２のクロノグラフ付電子時計では、指針を開始位置に戻す時間（１９／２０秒位置から０／２０位置に戻す時間）を確保する必要があり、指針が指示している時間と計測時間とを常に一致させることができない。このため、計測が終了したとき、指針が指示している時間と計測時間とが一致していない場合には、指針を計測時間の位置まで移動させる必要があり、計測時間をすぐに確認できないという問題があった。
【０００７】
本発明は、計測時間を速やかに分かりやすく表示できる往復移動する指針を備えた時間計測装置を提供することを目的とする。
【課題を解決するための手段】
【０００８】
本発明の時間計測装置は、計測時間の上位の桁を表示する上位桁表示指針と、往復移動し、往路および復路において、計測時間の下位の桁を表示する下位桁表示指針と、前記上位桁表示指針を駆動する第１駆動手段と、前記下位桁表示指針を駆動する第２駆動手段と、時間計測を行う、時間計測部と、前記第１駆動手段を制御して、前記時間計測部が計測した計測時間に基づき、前記上位桁表示指針を駆動させる第１駆動制御部と、前記第２駆動手段を制御して、前記時間計測部が計測した計測時間に基づき、前記下位桁表示指針を駆動させる第２駆動制御部と、を備え、前記第２駆動制御部は、前記下位桁表示指針を、所定の周期で往復移動させ、前記第１駆動制御部は、前記上位桁表示指針を、前記所定の周期の半分以下の時間間隔で運針させることを特徴とする。
【０００９】
例えば、スタートボタンが押されると、時間計測部は時間計測を開始する。
この際、本発明によれば、下位桁表示指針は、往路および復路で計測時間を表示するため、例えば、往路だけで計測時間を表示する場合のように指針を開始位置に戻すための時間が必要となるものではないため、下位桁表示指針が指示している時間と計測時間とを常に一致させることができる。
これにより、ストップボタンが押され、計測が終了した際に、計測時間の下位の桁の値を速やかに表示できる。
【００１０】
また、本発明によれば、上位桁表示指針は、下位桁表示指針の往復移動の周期の半分以下の時間間隔で運針するため、下位桁表示指針が往路にあるか復路にあるかで、上位桁表示指針の指示位置が異なる。このため、上位桁表示指針が表示する計測時間に基づいて、下位桁表示指針が往路にあるのか復路にあるのかを判断できる。
例えば、上位桁表示指針が秒針であり、下位桁表示指針が１／１０秒の桁を表示し、１秒周期で往復移動する場合、上位桁表示指針は０．５秒以下の間隔で運針する。この場合、正秒位置の間の距離を正秒間距離としたとき、秒針が正秒間距離の半分の距離まで進んでいなければ、下位桁表示指針は往路にあると判断でき、秒針が正秒間距離の半分の距離よりも進んでいれば、下位桁表示指針は復路にあると判断できる。
これにより、計測時間の下位の桁の値を分かりやすく表示できる。
【００１１】
本発明の時間計測装置において、前記第１駆動制御部は、前記上位桁表示指針を、前記所定の周期の半分の時間間隔で運針させることが好ましい。
【００１２】
本発明によれば、例えば、上位桁表示指針が秒針であり、下位桁表示指針が１／１０秒の桁を表示する場合、秒針は０．５秒間隔で運針する。この場合、秒針が正秒の目盛を指示していれば、下位桁表示指針は往路にあると判断でき、秒針が０．５秒の目盛を指示していれば、下位桁表示指針は復路にあると判断できる。このため、計測時間の下位の桁の値をより分かりやすく表示できる。
さらに、例えば、秒針を０．２秒間隔で運針させる場合と比べて、秒針の運針間隔を大きくできるため、時間計測装置の消費電力を低減できる。
【００１３】
本発明の時間計測装置において、前記第２駆動制御部は、前記下位桁表示指針の移動方向を、０．５秒毎または１秒毎に逆転させることが好ましい。
本発明によれば、下位桁表示指針の１往復の時間を１秒、または、下位桁表示指針の片道の時間を１秒とできるため、使用者は、１秒分の距離を基準にして、下位桁表示指針の位置を判断でき、計測時間を把握しやすい。
【００１４】
本発明の時間計測装置において、前記上位桁表示指針は、秒針であることが好ましい。
本発明によれば、下位桁表示指針は、秒よりも下位の桁（例えば、１／１０秒の桁）の値を表示する。すなわち、下位桁表示指針は、秒針よりも高速で往復移動する。これによれば、往復移動する指針の動きをダイナミックにでき、時間計測装置のデザイン性を向上できる。
【００１５】
本発明の時間計測装置において、数字の画像を表示して、前記上位桁表示指針が表示する前記上位の桁のさらに上位の桁の計測時間を表示するデジタル表示手段を備えることが好ましい。
【００１６】
本発明によれば、例えば、上位桁表示指針が秒針であり、下位桁表示指針が１／１０秒の桁を表示する場合、デジタル表示手段によって計測時間の分を表示できる。このため、上位桁表示指針および下位桁表示指針とは別の指針を設けるスペースがない場合であっても、デジタル表示手段があれば、計測時間の分を表示でき、表示できる計測時間を長くできる。
【図面の簡単な説明】
【００１７】
【図１】本実施形態に係るクロノグラフ時計を示す正面図である。
【図２】前記クロノグラフ時計の構成を示すブロック図である。
【図３】前記クロノグラフ時計のクロノグラフ針の移動状態を示す図である。
【図４】前記クロノグラフ時計の１／１０秒クロノ針駆動制御部のモーター駆動パルスの出力状態を示す図である。
【図５】前記クロノグラフ時計のクロノグラフ処理を示すフローチャートである。
【図６】前記クロノグラフ時計のリセット時の表示例を示す図である。
【図７】前記クロノグラフ時計の計測中の表示例を示す図である。
【図８】前記クロノグラフ時計の計測中の表示例を示す図である。
【図９】前記クロノグラフ時計の計測中の表示例を示す図である。
【図１０】前記クロノグラフ時計の計測中の表示例を示す図である。
【図１１】前記クロノグラフ時計の計測終了時の表示例を示す図である。
【図１２】前記クロノグラフ時計の計測終了時の表示例を示す図である。
【発明を実施するための形態】
【００１８】
以下に、本発明の実施形態を図面に基づいて説明する。
図１は、クロノグラフ時計１を示す正面図である。
図１に示すように、クロノグラフ時計１は、通常の時刻表示を行う基本時計用指針としての時針１１、分針１２、秒針１３を備えている。時針１１、分針１２は、クロノグラフ時計１の文字板２を表面側から見た平面視において、回転軸が文字板２の中心に位置している。秒針１３は、文字板２の中心から９時方向にずれた位置に配置されている。
【００１９】
また、クロノグラフ時計１は、計測時間の表示を行うクロノグラフ用指針として、１／１０秒クロノグラフ針（下位桁表示指針）１４、クロノグラフ秒針（上位桁表示指針）１５、クロノグラフ分針１６を備えている。すなわち、クロノグラフ時計１は、本発明の時間計測装置を構成している。
１／１０秒クロノグラフ針１４は、計測時間の１／１０秒の桁（下位の桁）を表示する。クロノグラフ秒針１５は、計測時間の秒の桁（上位の桁）を表示する。クロノグラフ分針１６は、計測時間の分（さらに上位の桁）を表示する。
【００２０】
１／１０秒クロノグラフ針１４は、回転軸が文字板２の中心から６時方向にずれた位置に配置されている。１／１０秒クロノグラフ針１４は、回転角度が１８０度未満に設定されており、移動領域が扇形となる。そして、１／１０秒クロノグラフ針１４は、移動領域の中心に位置しているとき、文字板２の０時方向を指示するように配置されている。また、１／１０秒クロノグラフ針１４は、時計回りおよび反時計回りに交互に回転することで、往復移動する。
クロノグラフ秒針１５は、時針１１、分針１２と同じく、回転軸が文字板２の中心に位置している。
クロノグラフ分針１６は、文字板２の中心から０時方向にずれた位置に配置されている。
【００２１】
文字板２の外縁部には、１周を１２０分割する時分秒目盛５１が表示されている。
また、１／１０秒クロノグラフ針１４の移動領域の周囲には、移動領域を５分割する１／１０秒目盛５２が表示されている。さらに、１／１０秒目盛５２の時計回りにおける始点（反時計回りにおける終点）には、０．０秒位置（１．０秒位置）を示す「０」の文字が表示されている。また、１／１０秒目盛５２の時計回りにおける終点（反時計回りにおける始点）には、０．５秒位置を示す「０．５」の文字が表示されている。
さらに、１／１０秒目盛５２の各分割位置における、文字板２の０時方向側には、０秒位置から０．５秒位置に向かって順番に、０．１秒、０．２秒、０．３秒、０．４秒位置を示す「０．１」、「０．２」、「０．３」、「０．４」の文字が表示されている。また、１／１０秒目盛５２の各分割位置における、文字板２の６時方向側には、０．５秒位置から０秒位置に向かって順番に、０．６秒、０．７秒、０．８秒、０．９秒位置を示す「０．６」、「０．７」、「０．８」、「０．９」の文字が表示されている。
【００２２】
また、文字板２におけるクロノグラフ分針１６の移動領域の周囲には、１周を６０分割する分目盛５３が表示されている。
また、クロノグラフ時計１には、外部操作部材であるリューズ５と、同じく外部操作部材である第１ボタン６および第２ボタン７とが設けられている。
【００２３】
図２は、クロノグラフ時計１の構成を示すブロック図である。
図２に示すように、クロノグラフ時計１は、各指針１１〜１６を駆動する４つのステップモーターを備えている。時針１１、分針１２、秒針１３は、時分秒針用ステップモーター２１で駆動される。１／１０秒クロノグラフ針１４は、１／１０秒クロノ針用ステップモーター（第２駆動手段）２２で駆動される。クロノグラフ秒針１５は、クロノ秒針用ステップモーター（第１駆動手段）２３で駆動される。クロノグラフ分針１６は、クロノ分針用ステップモーター２４で駆動される。
【００２４】
これらの各ステップモーター２１〜２４の駆動制御を行うために、クロノグラフ時計１には、駆動制御回路３０が内蔵されている。
駆動制御回路３０は、第１スイッチ検出部３１、第２スイッチ検出部３２、カウンター制御部３３、発振回路３４、分周回路３５、クロノグラフカウンター（時間計測部）３６、時分秒針駆動制御部３７、１／１０秒クロノ針駆動制御部（第２駆動制御部）３８、クロノ秒針駆動制御部（第１駆動制御部）３９、クロノ分針駆動制御部４０を備えている。
【００２５】
第１スイッチ検出部３１は、第１ボタン６の押込み操作を検出し、押し込み操作があった場合にその検出信号をカウンター制御部３３に出力する。
第２スイッチ検出部３２は、第２ボタン７の押込み操作を検出し、押し込み操作があった場合にその検出信号をカウンター制御部３３に出力する。
カウンター制御部３３は、第１スイッチ検出部３１および第２スイッチ検出部３２の出力信号に応じて、クロノグラフカウンター３６に制御信号を出力する。
【００２６】
発振回路３４は、水晶振動子等を備え、３２．７６８ｋＨｚの基準クロック信号を出力する。
分周回路３５は、発振回路３４から出力された基準クロック信号を分周してクロノグラフカウンター３６、時分秒針駆動制御部３７、１／１０秒クロノ針駆動制御部３８、クロノ秒針駆動制御部３９、クロノ分針駆動制御部４０に出力する。
【００２７】
クロノグラフカウンター３６は、カウンター制御部３３から出力された制御信号に応じて、分周回路３５から出力された基準クロック信号をカウントして経過時間を計測する。そして、カウント値を、時分秒針駆動制御部３７、１／１０秒クロノ針駆動制御部３８、クロノ秒針駆動制御部３９、クロノ分針駆動制御部４０に出力する。
【００２８】
時分秒針駆動制御部３７は、分周回路３５から出力される基準クロック信号を利用してモーター駆動パルスを出力し、時分秒針用ステップモーター２１を介して時針１１、分針１２、秒針１３の駆動を制御する。
すなわち、時分秒針駆動制御部３７は、時針１１、分針１２、秒針１３によって、時刻の時分秒を表示させる。
【００２９】
１／１０秒クロノ針駆動制御部３８は、クロノグラフカウンター３６から出力されるカウント値に応じて、分周回路３５から出力される基準クロック信号を利用してモーター駆動パルスを出力し、１／１０秒クロノ針用ステップモーター２２を介して１／１０秒クロノグラフ針１４の駆動を制御する。
すなわち、１／１０秒クロノ針駆動制御部３８は、クロノグラフカウンター３６が経過時間の計測を開始すると、１／１０秒クロノグラフ針１４を時計回りおよび反時計回りに順次回転させて往復移動させ、計測時間の１／１０秒の桁を表示させる。
【００３０】
クロノ秒針駆動制御部３９は、クロノグラフカウンター３６から出力されるカウント値に応じて、分周回路３５から出力される基準クロック信号を利用してモーター駆動パルスを出力し、クロノ秒針用ステップモーター２３を介してクロノグラフ秒針１５の駆動を制御する。
すなわち、クロノ秒針駆動制御部３９は、クロノグラフカウンター３６が経過時間の計測を開始すると、クロノグラフ秒針１５を時計回りに回転させ、計測時間の秒を表示させる。
【００３１】
クロノ分針駆動制御部４０は、クロノグラフカウンター３６から出力されるカウント値に応じて、分周回路３５から出力される基準クロック信号を利用してモーター駆動パルスを出力し、クロノ分針用ステップモーター２４を介してクロノグラフ分針１６の駆動を制御する。
すなわち、クロノ分針駆動制御部４０は、クロノグラフカウンター３６が経過時間の計測を開始すると、クロノグラフ分針１６を時計回りに回転させ、計測時間の分を表示させる。
【００３２】
図３は、各クロノグラフ針の移動状態を示す図である。
図３に示されるように、１／１０秒クロノグラフ針１４は、表示単位が１／１０秒（０．１秒）である。すなわち、時計回りに０．１秒間隔で運針し、０．５秒が経過すると、回転方向を逆転し、反時計回りに０．１秒間隔で運針する。また、片道分のステップ数は２０である。すなわち、一度の運針のステップ数は４である。また、１往復の計測時間は１秒である。すなわち、１秒で１往復する。
クロノグラフ秒針１５は、表示単位が１／２秒（０．５秒）である。すなわち、時計回りに０．５秒間隔で運針する。また、１周分のステップ数は１２０である。すなわち、一度の運針のステップ数は１である。また、１周の計測時間は６０秒である。
クロノグラフ分針１６は、表示単位が１分である。すなわち、時計回りに１分間隔で運針する。また、１周分のステップ数は６０である。すなわち、一度の運針のステップ数は１である。また、１周の計測時間は６０分である。
【００３３】
図４は、１／１０秒クロノ針駆動制御部３８のモーター駆動パルスの出力状態を示す図である。
図４に示されるように、１／１０秒クロノ針駆動制御部３８は、クロノグラフカウンター３６のカウント値が、０．１秒、０．２秒、０．３秒、０．４秒、０．５秒のとき、１／１０秒クロノグラフ針１４を時計回り（右回り）に回転させる４つの正転駆動パルスを、１／１０秒クロノ針用ステップモーター２２に出力する。
また、１／１０秒クロノ針駆動制御部３８は、クロノグラフカウンター３６のカウント値が、０．６秒、０．７秒、０．８秒、０．９秒、０秒のとき、１／１０秒クロノグラフ針１４を反時計回り（左回り）に回転させる４つの逆転駆動パルスを、１／１０秒クロノ針用ステップモーター２２に出力する。
【００３４】
［クロノグラフ処理］
次に、クロノグラフ処理について説明する。
図５は、クロノグラフ処理を示すフローチャートである。
図５に示す処理は、例えば、第２ボタン７に対するモード切替操作により、クロノグラフモードが選択されると開始される。
まず、カウンター制御部３３は、リセット信号をクロノグラフカウンター３６に出力し、クロノグラフカウンター３６のカウント値をリセットする（Ｓ１１）。このときの各指針の状態を、図６に示す。
図６に示されるように、時針１１、分針１２、秒針１３は、現時刻の時分秒をそれぞれ指示している。１／１０秒クロノグラフ針１４は、０．０秒位置を指示している。クロノグラフ秒針１５は、０秒位置を指示している。クロノグラフ分針１６は、０分位置を指示している。
【００３５】
次に、カウンター制御部３３は、第１スイッチ検出部３１の出力信号を判定して、第１ボタン６が押されたかを判定する（Ｓ１２）。
Ｓ１２でＮＯと判定された場合、カウンター制御部３３は、Ｓ１２の判定を繰り返す。
【００３６】
一方、Ｓ１２でＹＥＳと判定された場合、カウンター制御部３３は、計測開始信号をクロノグラフカウンター３６に出力する。これにより、クロノグラフカウンター３６が、Ｓ１２で第１ボタン６が押された時点からの経過時間の計測を開始する（Ｓ１３）。
これに伴い、１／１０秒クロノ針駆動制御部３８、クロノ秒針駆動制御部３９、クロノ分針駆動制御部４０が、１／１０秒クロノ針用ステップモーター２２、クロノ秒針用ステップモーター２３、クロノ分針用ステップモーター２４を駆動させる。これにより、１／１０秒クロノグラフ針１４は時計回りおよび反時計回りに順次回転して往復移動し、また、クロノグラフ秒針１５、クロノグラフ分針１６は時計回り回転して、計測時間が表示される。計測中の各クロノグラフ針の状態を、図７〜図１０に示す。
【００３７】
計測が開始されると、１／１０秒クロノグラフ針１４は、１／１０秒（０．１秒）間隔で時計回りに運針する。図７は、計測時間が０．１秒のときの表示例である。１／１０秒クロノグラフ針１４は、１／１０秒目盛５２の０．１秒位置を指示している。このとき、クロノグラフ秒針１５は０秒位置を指示している。
そして、計測時間が０．５秒になり、図８に示すように、１／１０秒クロノグラフ針１４が、１／１０秒目盛５２の０．５秒位置を指示すると、クロノグラフ秒針１５は運針し、時分秒目盛５１の０．５秒位置を指示する。
【００３８】
その後、１／１０秒クロノグラフ針１４は、０．１秒間隔で反時計回りに運針する。図９は、経過時間が０．６秒のときの表示例である。１／１０秒クロノグラフ針１４は、１／１０秒目盛５２の０．６秒位置を指示している。このとき、クロノグラフ秒針１５は０．５秒位置を継続して指示している。
そして、計測時間が１秒になり、図１０に示すように、１／１０秒クロノグラフ針１４が１．０（０．０）秒位置を指示すると、クロノグラフ秒針１５は運針し、時分秒目盛５１の１秒位置を指示する。
【００３９】
このような往復移動を、１／１０秒クロノグラフ針１４は１秒周期で繰り返し、１／１０秒クロノグラフ針１４が０．５秒位置および０秒位置を指示する毎に、クロノグラフ秒針１５は運針する。すなわち、クロノグラフ秒針１５は、０．５秒間隔で運針する。
そして、計測時間が１分になり、クロノグラフ秒針１５が１周すると、クロノグラフ分針１６が運針する。
【００４０】
Ｓ１３の後、カウンター制御部３３は、第１スイッチ検出部３１の出力信号を判定して、第１ボタン６が再び押されたかを判定する（Ｓ１４）。
Ｓ１４でＮＯと判定された場合、カウンター制御部３３は、Ｓ１４の判定を繰り返す。
【００４１】
一方、Ｓ１４でＹＥＳと判定された場合、カウンター制御部３３は、計測終了信号をクロノグラフカウンター３６に出力する。これにより、クロノグラフカウンター３６が、経過時間の計測を終了する（Ｓ１５）。
すなわち、このとき、１／１０秒クロノグラフ針１４は、第１ボタン６が初めに押されてから第１ボタン６が再度押されるまでの経過時間の１／１０秒の桁を表示し、クロノグラフ秒針１５は、前記経過時間の秒を表示し、クロノグラフ分針１６は、前記経過時間の分を表示している。
【００４２】
図１１、図１２は、計測終了時の表示例を示す図である。
図１１は、計測時間が８分４１．３秒の場合の表示例である。
１／１０秒クロノグラフ針１４は、０．３秒（０．７秒）位置を指示し、クロノグラフ秒針１５は、４１秒位置を指示し、クロノグラフ分針１６は、８分位置を指示している。
ここで、１／１０秒目盛５２における０．３秒指標と０．７秒指標とは同じ箇所に表示されているため、１／１０秒クロノグラフ針１４を見ただけでは、１／１０秒クロノグラフ針１４が、０．３秒を表示しているのか、０．７秒を表示しているのか判断できない。
【００４３】
これに対して、クロノグラフ時計１では、計測時間の１／１０秒の桁が、０．０秒から０．５秒の間は、クロノグラフ秒針１５は、正秒の目盛を指示している。また、計測時間の１／１０秒の桁が、０．５秒から１．０秒（０．０秒）の間は、クロノグラフ秒針１５は、正秒の目盛の中間の０．５秒の目盛を指示している。
このため、クロノグラフ秒針１５が正秒の目盛を指示していれば、１／１０秒クロノグラフ針１４は、０．０秒〜０．５秒の範囲内の時間を表示し、クロノグラフ秒針１５が０．５の目盛を指示していれば、１／１０秒クロノグラフ針１４は、０．５秒〜１．０秒（０．０秒）の範囲内の時間を表示していることが分かる。
図１１の表示例では、クロノグラフ秒針１５が正秒である４１秒の目盛を指示しているため、１／１０秒クロノグラフ針１４は、０．０秒〜０．５秒の範囲内の時間を表示していると判断できるため、１／１０秒クロノグラフ針１４は、０．３秒を表示していると把握できる。
【００４４】
図１２は、計測時間が８分４１．７秒の場合の表示例である。
１／１０秒クロノグラフ針１４は、０．３秒（０．７）位置を指示し、クロノグラフ秒針１５は、４１．５秒位置を指示し、クロノグラフ分針１６は、８分位置を指示している。
図１２の表示例では、クロノグラフ秒針１５が４１．５秒の目盛を指示しているため、１／１０秒クロノグラフ針１４は、０．５秒〜１．０秒（０．０秒）の範囲内の時間を表示していると判断できる。このため、１／１０秒クロノグラフ針１４は、０．７秒を表示していると把握できる。
【００４５】
次に、カウンター制御部３３は、第１スイッチ検出部３１の出力信号を判定して、第１ボタン６が押されたかを判定する（Ｓ１６）。
Ｓ１６でＹＥＳと判定された場合、カウンター制御部３３は、処理をＳ１３に戻す。
Ｓ１６でＮＯと判定された場合、カウンター制御部３３は、第２スイッチ検出部３２の出力信号を判定して、第２ボタン７が押されたかを判定する（Ｓ１７）。
Ｓ１７でＮＯと判定された場合、カウンター制御部３３は、処理をＳ１６に戻す。
一方、Ｓ１７でＹＥＳと判定された場合、カウンター制御部３３は、処理をＳ１１に戻す。
【００４６】
［実施形態の作用効果］
１／１０秒クロノグラフ針１４は、往路および復路で計測時間を表示するため、例えば、往路だけで計測時間を表示する場合のように指針を開始位置に戻すための時間が必要となるものではないため、１／１０秒クロノグラフ針１４が指示している時間と計測時間とを常に一致させることができる。
これにより、計測終了時に、計測時間の１／１０秒の桁の値を速やかに表示できる。
【００４７】
クロノ秒針駆動制御部３９は、クロノグラフ秒針１５を、１／１０秒クロノグラフ針１４の往復移動の周期（１秒）の半分の時間間隔（０．５秒）で運針させる。
これによれば、クロノグラフ秒針１５が正秒の目盛を指示していれば、１／１０秒クロノグラフ針１４は往路にあると判断でき、クロノグラフ秒針１５が０．５秒の目盛を指示していれば、１／１０秒クロノグラフ針１４は復路にあると判断できる。このため、計測時間の１／１０秒の桁の値を分かりやすく表示できる。
さらに、例えば、クロノグラフ秒針１５を０．２秒間隔で運針させる場合と比べて、クロノグラフ秒針１５の運針間隔を大きくできるため、クロノグラフ時計１の消費電力を低減できる。
【００４８】
クロノ秒針駆動制御部３９は、１／１０秒クロノグラフ針１４の移動方向を、０．５秒毎に逆転させる。
これによれば、１／１０秒クロノグラフ針１４の１往復の時間を１秒とできるため、使用者は、１秒分の距離を基準にして、１／１０秒クロノグラフ針１４の位置を判断できるため、計測時間を把握しやすい。
【００４９】
計測時間の秒は、クロノグラフ秒針１５で表示され、計測時間の１／１０秒の桁は、１／１０秒クロノグラフ針１４で表示される。すなわち、１／１０秒クロノグラフ針１４は、クロノグラフ秒針１５よりも高速で往復移動する。これによれば、往復移動する指針の動きをダイナミックにでき、クロノグラフ時計１のデザイン性を向上できる。
【００５０】
１／１０秒目盛５２において、往路用の指標と復路用の指標とは、１／１０秒クロノグラフ針１４の指示方向において重なって配置されている。
これによれば、往路用の指標と復路用の指標とが、１／１０秒クロノグラフ針１４の指示方向においてずれて配置されている場合と比べて、１／１０秒クロノグラフ針１４の移動方向における指標の間隔を広げることができる。これにより、１／１０秒クロノグラフ針１４が、どの指標を指示しているのかを、分かりやすくできる。
【００５１】
［他の実施形態］
なお、本発明は前記実施形態の構成に限定されず、本発明の要旨の範囲内で種々の変形実施が可能である。
例えば、前記実施形態では、クロノ秒針駆動制御部３９は、クロノグラフ秒針１５を、１／１０秒クロノグラフ針１４の往復移動の周期（１秒）の半分の時間間隔（０．５秒）で運針させているが、本発明はこれに限定されない。すなわち、クロノ秒針駆動制御部３９は、クロノグラフ秒針１５を、１／１０秒クロノグラフ針１４の往復移動の周期の半分以下の時間間隔（例えば、０．２秒）で運針させればよい。
この場合、時分秒目盛５１の正秒位置の間の距離を正秒間距離としたとき、クロノグラフ秒針１５が正秒間距離の半分の距離まで進んでいなければ、１／１０秒クロノグラフ針１４は往路にあると判断でき、クロノグラフ秒針１５が正秒間距離の半分の距離よりも進んでいれば、１／１０秒クロノグラフ針１４は復路にあると判断できる。
【００５２】
前記実施形態では、１／１０秒クロノグラフ針１４の１往復の周期は１秒であるが、本発明はこれに限定されない。例えば、１秒毎に移動方向を逆転させ、前記周期を２秒としてもよい。このとき、クロノグラフ秒針１５は、例えば、１秒間隔で運針させる。
この場合、クロノグラフ秒針１５が、奇数の正秒位置を指示しているか、偶数の正秒位置を指示しているかで、１／１０秒クロノグラフ針１４が往路にあるか復路にあるかを判断できる。
これによれば、クロノグラフ秒針１５は、１秒間隔で運針されればよいので、０．５秒間隔で運針される場合と比べて、クロノグラフ秒針１５の位置を把握しやすい。
また、片道の計測時間を１秒とできるため、１秒分の距離を基準にして、１／１０秒クロノグラフ針１４の位置を判断できるため、計測時間を把握しやすい。
【００５３】
前記実施形態では、上位桁表示指針であるクロノグラフ秒針１５は、計測時間の秒を表示し、下位桁表示指針である１／１０秒クロノグラフ針１４は、計測時間の１／１０秒の桁を表示しているが、本発明の上位桁表示指針が表示する上位の桁および下位桁表示指針が表示する下位の桁は、これらに限定されない。
すなわち、上位桁表示指針が指示する指示位置の違いにより、下位桁表示指針が往路にあるか復路にあるかを判定できれば、上位桁表示指針が表示する上位の桁および下位桁表示指針が表示する下位の桁はどのような値であってもよい。
例えば、下位桁表示指針が、計測時間の１／５秒の桁、１／２０秒の桁、１／１００秒の桁を表示してもよい。
また、上位桁表示指針が計測時間の分を表示し、下位桁表示指針が、計測時間の秒を表示してもよい。この場合、例えば、下位桁表示指針は、１分周期で往復移動し、上位桁表示指針は、３０秒間隔で運針する。
これによれば、上位桁表示指針が正分の目盛を指示していれば、下位桁表示指針は往路にあると判断でき、上位桁表示指針が正分の目盛の中間にある３０秒の目盛を指示していれば、下位桁表示指針は復路にあると判断できる。
【００５４】
前記実施形態では、計測時間の分を、クロノグラフ分針１６で表示させているが、数字の画像を表示する液晶パネル等を備えたデジタル表示手段により表示させてもよい。
これによれば、クロノグラフ分針１６を設けるスペースがない場合であっても、デジタル表示手段があれば、計測時間の分を表示でき、表示できる計測時間を長くできる。
【００５５】
前記実施形態において、Ｓ１３で経過時間の計測を開始してから、Ｓ１５で計測を終了するまでの間に、例えば、第２ボタン７が押された場合、計測を続けながら、第２ボタン７が押された時点での計測時間を各クロノグラフ針によって表示させてもよい（スプリット機能）。
【００５６】
前記実施形態では、１／１０秒クロノグラフ針１４を、移動領域が扇形となるように、１端を回転軸として時計回りおよび反時計回りに順次回転して往復移動（扇形往復移動）させているが、例えば、右方向および左方向に順次スライドさせて、直線的に往復移動（直線往復移動）させてもよい。
【００５７】
前記実施形態では、時間計測装置はクロノグラフ時計１であるが、本発明では、時間計測装置は時計に限定されない。すなわち、時間計測装置は、時計ではないストップウォッチ等の他の製品であってもよい。
【符号の説明】
【００５８】
１…クロノグラフ時計、１１…時針、１２…分針、１３…秒針、１４…１／１０秒クロノグラフ針、１５…クロノグラフ秒針、１６…クロノグラフ分針、２…文字板、２１…時分秒針用ステップモーター、２２…１／１０秒クロノ針用ステップモーター、２３…クロノ秒針用ステップモーター、２４…クロノ分針用ステップモーター、３０…駆動制御回路、３１…第１スイッチ検出部、３２…第２スイッチ検出部、３３…カウンター制御部、３６…クロノグラフカウンター、３７…時分秒針駆動制御部、３８…１／１０秒クロノ針駆動制御部、３９…クロノ秒針駆動制御部、４０…クロノ分針駆動制御部、５１…時分秒目盛、５２…１／１０秒目盛、５３…分目盛。
【図１】
2015206771.tif 000003
【図２】
2015206771.tif 000004
【図３】
2015206771.tif 000005
【図４】
2015206771.tif 000006
【図５】
2015206771.tif 000007
【図６】
2015206771.tif 000008
【図７】
2015206771.tif 000009
【図８】
2015206771.tif 000010
【図９】
2015206771.tif 000011
【図１０】
2015206771.tif 000012
【図１１】
2015206771.tif 000013
【図１２】
2015206771.tif 000014